(57)【要約】【課題】容易に装着することができ、外力が与えられた場合にその装着位置ズレが生じにくいカバー装着構造を有する小型検知スイッチを提供すること。【解決手段】本発明の小型検知スイッチは、ボディ１と、上面被覆片２１及び側壁被嵌片２２，２２を有するカバー２と、押釦３と、を備え、押釦３の押下操作によりスイッチ動作するものであって、側壁被嵌片２２には、一対の側片２３，２３を延設すると共に、この側片２３，２３の上方側に突起２４，２４を設け、ボディ１の収納溝１４には、側壁被嵌片２２を収納するときにそれがボディ１の外方側に変位することを制限すると共に側壁被嵌片２２を収納した後に突起２４，２４が係合して側壁被嵌片２２の上方への移動を制限する係合突部１５，１５を設け、収納溝１４の下方端部には、側壁被嵌片２２の先端部２５を挿入する押え溝１４ａを形成したことを特徴としている。【選択図】          図１
2004172052.tif 000002
【特許請求の範囲】
【請求項１】
上面に開口部を有する箱状体からなるボディと、前記開口部を部分的に覆う上面被覆片及びこの上面被覆片の両側から上面被覆片に略直交する方向に一体に延設した一対の側壁被嵌片を有するカバーと、操作部が前記開口部から突出する押釦と、を備え、操作部の押下操作によりスイッチ動作する小型検知スイッチにおいて、
前記側壁被嵌片には、その延設方向の両側に一対の側片を延設すると共に、この側片の上方側に突起を設け、前記ボディの両側壁の外側には、側壁被嵌片を収納し得る収納溝を形成し、この収納溝には、側壁被嵌片を収納するときに側壁被嵌片をガイドしてそれがボディの外方側に変位することを制限すると共に側壁被嵌片を収納した後に前記突起が係合して側壁被嵌片の上方への移動を制限する係合突部を設け、収納溝の下方端部には、側壁被嵌片の先端部を挿入する押え溝を形成したことを特徴とする小型検知スイッチ。
【請求項２】
上面に開口部を有する箱状体からなるボディと、前記開口部を部分的に覆う上面被覆片及びこの上面被覆片の両側から上面被覆片に略直交する方向に一体に延設した一対の側壁被嵌片を有するカバーと、操作部が前記開口部から突出する押釦と、を備え、操作部の押下操作によりスイッチ動作する小型検知スイッチにおいて、
前記カバーは、ボディの側壁間の距離より小さい幅を有する折曲片を、上面被覆片の長手方向の端部から下方に向かって折曲して形成したことを特徴とする小型検知スイッチ。
【請求項３】
前記ボディの後方側壁の上部には、前記折曲片を挿入し得る嵌入凹部を設けているものである請求項２記載の小型検知スイッチ。
【発明の詳細な説明】
【０００１】
【発明の属する技術分野】
本発明は、小型検知スイッチに関するものである。
【０００２】
【従来の技術】
従来、この種のスイッチとして、例えば図１０に示すようなものがある（例えば、特許文献１参照。）。
【０００３】
スイッチ本体１０１は、固定接触子１１１〜１１３がインサート成形されたボディ１０２と、固定接触子１１１〜１１３を覆うようにボディ１０２に被着されるカバー１０３とで構成される。カバー１０３には回動体１０４が回動自在に取り付けられており、回動体１０４に突設された操作部１０４ｂはカバー１０３の開口１０３ａから外部に突出する。可動接触子１２０は回動体１０４に取り付けられており、固定接触子１１１〜１１３をそれぞれ挟持する各一対の挟持片１２３〜１２５を３組有している。共通端子要の固定接触子１１１の先端には略Ｌ字状の被挟持片１１１ｂが突設されており、各挟持片１２３〜１２５が固定接触子１１１及び被挟持片１１１ｂを挟持することにより、各挟持片１２３〜１２５と各固定接触子１１１〜１１３との接触方向において各挟持片１２３〜１２５の位置が変動するのを防止することができるのである。
【０００４】
また、従来の小型検知スイッチとして、例えば図１１に示すようなものもある。なお、図１１（ａ）は小型検知スイッチの平面図、同図（ｂ）は同じく正面図である。また、図１２は、この小型検知スイッチのボディに装着するカバーを示し、同図（ａ）は平面図、同図（ｂ）は正面図、同図（ｃ）は右側面図である。
【０００５】
この小型検知スイッチは、操作部の押下操作によりスイッチ動作するものであって、上面１１に開口部１２を有する箱状体からなるボディ１と、開口部１２の後方側１２ｂを覆う上面被覆片２１、及びこの上面被覆片２１の両側２１ａ，２１ａから下方向に折曲させた一対の側壁被嵌片２２，２２を有するカバー２と、操作部３１が開口部１２の前方側１２ａから突出する押釦３と、端子４ａ，４ｂと、を備えている。ここで、カバー２の一対の側壁被嵌片２２，２２は、その先端２５，２５間の距離が、ボディ１の両側壁１３，１３間の距離よりやや小さくなるように折曲されている。また、ボディ１の両側壁１３，１３の外側には、側壁被嵌片２２，２２が嵌りこむ収納溝１４，１４がそれぞれ設けられている。
【０００６】
かくして、この小型検知スイッチにおいて、カバー２は、一対の側壁被嵌片２２，２２がボディ１の両側壁１３，１３の外側の収納溝１４，１４に嵌め込まれて係止され、図１３に矢印で示すように、カバー２の側壁被嵌片２２，２２がボディ１の両側壁１３，１３をボディ１内方に向かって両側から押圧しているのである。
【０００７】
【特許文献１】
特開２０００−３０６４６８号公報（第１頁、第１図）
【０００８】
【発明が解決しようとする課題】
ところで、図１１に示す従来の小型検知スイッチによれば、カバー２は、一対の側壁被嵌片２２，２２とボディ１の両側壁１３，１３との間の接圧力によってボディ１に固定されているだけであるので、図１４に矢印で示す方向からカバー２に過大な外力が与えられたような場合、カバー２がＡ点を支点にして同図の時計回りに回動してしまう、という問題点があった。そして、これを抑えようとして前述した接圧力を比較的大きくした場合、カバー２の側壁被嵌片２２，２２が図１３に矢印で示す方向からボディ１の両側壁１３，１３を比較的大きな押圧力で押し付けることとなるので、両側壁１３，１３がボディ１内側に反って押釦３に接触してしまい、ひいては押釦３の押下操作を円滑に行なえなくなってしまう虞れがあった。
【０００９】
本発明は、上記事由に鑑みてなしたもので、その目的とするところは、容易に装着することができ、外力が与えられた場合にその装着位置ズレが生じにくいカバー装着構造を有する小型検知スイッチを提供することにある。
【００１０】
【課題を解決するための手段】
請求項１に係る発明の小型検知スイッチは、上面に開口部を有する箱状体からなるボディと、前記開口部を部分的に覆う上面被覆片及びこの上面被覆片の両側から上面被覆片に略直交する方向に一体に延設した一対の側壁被嵌片を有するカバーと、操作部が前記開口部から突出する押釦と、を備え、操作部の押下操作によりスイッチ動作する小型検知スイッチにおいて、前記側壁被嵌片には、その延設方向の両側に一対の側片を延設すると共に、この側片の上方側に突起を設け、前記ボディの両側壁の外側には、側壁被嵌片を収納し得る収納溝を形成し、この収納溝には、側壁被嵌片を収納するときに側壁被嵌片をガイドしてそれがボディの外方側に変位することを制限すると共に側壁被嵌片を収納した後に前記突起が係合して側壁被嵌片の上方への移動を制限する係合突部を設け、収納溝の下方端部には、側壁被嵌片の先端部を挿入する押え溝を形成したことを特徴としている。
【００１１】
請求項２に係る発明の小型検知スイッチは、上面に開口部を有する箱状体からなるボディと、前記開口部を部分的に覆う上面被覆片及びこの上面被覆片の両側から上面被覆片に略直交する方向に一体に延設した一対の側壁被嵌片を有するカバーと、操作部が前記開口部から突出する押釦と、を備え、操作部の押下操作によりスイッチ動作する小型検知スイッチにおいて、前記カバーは、ボディの側壁間の距離より小さい幅を有する折曲片を、上面被覆片の長手方向の端部から下方に向かって折曲して形成したことを特徴としている。
【００１２】
請求項３に係る発明の小型検知スイッチは、請求項２の構成において、前記ボディの後方側壁の上部には、前記折曲片を挿入し得る嵌入凹部を設けているものにしてある。
【００１３】
【発明の実施の形態】
以下、本発明の実施の形態について、図面に基づいて詳細に説明する。なお、本実施形態の基本的な構成は従来の技術において説明したもの（図１１参照）と同様であり、基本的機能が実質的に同様の部分には同一の符号を付してある。また、以下の説明において、小型検知スイッチの内部構造の説明を省略してある。
【００１４】
（第１の実施の形態）
図１は、本発明に係る小型検知スイッチの第１の実施の形態を示す正面図である。また、図２は、カバーを取り付ける前の状態を示し、同図（ａ）は平面図、同図（ｂ）は正面図である。また、図３はボディ側壁の要部拡大図、図４はカバーを示し、同図（ａ）は正面図、同図（ｂ）は右側面図である。
【００１５】
この小型検知スイッチは、押釦の押下操作によりスイッチ動作するものであって、ボディ１と、カバー２と、押釦３と、端子４ａ，４ｂと、を有し、以下のように構成してある。
【００１６】
ボディ１は、小型検知スイッチの外郭をなすものであって、箱状体に形成し、上面１１に開口部１２を設けてある。そして、ボディ１の両側の側壁１３，１３の外側上端には、正面視、略矩形状の収納溝１４，１４をボディ１の側方及び上方に開口して形成し、後述するカバー２の側壁被嵌片２２，２２をそれぞれ収納し得るようにしてある。さらに、この収納溝１４の下方端部において、ボディ１の外側面にカバー突部１６を設けてこの部分を覆い、ボディ１の上方側にのみ開口する押え溝１４ａを形成してある。また、収納溝１４におけるボディ１の上下方向の中央付近には、側壁被嵌片２２を収納するときに側壁被嵌片２２をガイドしてそれがボディ１の外方側に変位することを制限すると共に側壁被嵌片２２を収納した後に後述する突起２４，２４が係合して側壁被嵌片２２の上方への移動を制限する略直方体状の係合突部１５，１５を、収納溝１４のボディ１の前後方向の両端部からボディ１側面上に張り出して設けてある。
【００１７】
カバー２は、金属薄板等を所定形状に打ち抜き、曲げ加工等して形成するものであって、ボディ１の開口部１２を覆う略矩形板状の上面被覆片２１、及びこの上面被覆片２１の短手方向両側２１ａ，２１ａから上面被覆片２１に略直交する方向に一体に延設した一対の側壁被嵌片２２，２２、及びこの側壁被嵌片２２の延設方向に略直交する方向の両側に一体に延設した一対の側片２３，２３、及び側片２３，２３の上方側に上面被覆片２１から離間する方向であって上面被覆片２１と略平行な方向に折曲した突起２４，２４、及び側片２３，２３から所定距離、離れた位置において側片２３と略平行な方向に一体に延設する先端片２５を設けており、先端を平面視、略Ｔ字状に形成してある。また、一対の側片２３，２３の先端部２３ａ，２３ａは、突起２４，２４を形成した方向に向かって少量、折り曲げ、ばね性を持たせてある。
【００１８】
押釦３は、操作部３１を押下操作したときに端子４ａ，４ｂ間を導通、又は開放させるものであって、ボディ上面１１の後方側近傍を支点にして回動し得るように構成してある。
【００１９】
かくして、上記構成による小型検知スイッチにおいて、カバー２は、次のようにしてボディ１に取り付けるのである。すなわち、カバー２の側壁被嵌片２２，２２を収納溝１４，１４のボディ１の上方側の開口から挿入すると、側壁被嵌片２２，２２が係合突部１５，１５とボディ１の側壁との間を進み、やがて先端片２５が押え溝１４ａに嵌入する。このとき、側片２３，２３は、突起２４，２４が係合突部１５，１５のボディ１側の壁面を摺動しつつ通過した後、先端部２３ａ，２３ａがボディ１から離間する方向に撓んで、突起２４，２４が係合突部１５，１５の下方側に係合して、固定される。
【００２０】
したがって、上記構成によれば、カバー２の側壁被嵌片２２，２２の先端片２５を押え溝１４ａに嵌入させると共に、側片２３，２３の突起２４，２４を係合突部１５，１５の下方側に係合させているので、カバー２の上下方向への移動を制限することができるものとなる。
【００２１】
また、カバー２の側壁被嵌片２２，２２を、係合突部１５，１５とボディ１の側壁１３，１３との間に挿入しているので、側壁被嵌片２２，２２がボディ１から離間する方向に撓み変形することが抑えられるものとなる。
【００２２】
（第２の実施の形態）
図５乃至図７は、本発明に係る小型検知スイッチの第２の実施の形態を示す図であり、ボディ及びカバーを次のように構成してあることを特徴とするものである。なお、図５は小型検知スイッチの正面図、図６はボディを示し、同図（ａ）は平面図、同図（ｂ）は正面図、図７はカバーを示し、同図（ａ）は正面図、同図（ｂ）は右側面図である。
【００２３】
この実施の形態において、ボディ１の後方側壁１８の上部には、ボディ１上方に開口する嵌入凹部１８ａを設けてあり、カバー２は、その上面被覆片２１の長手方向の後方端部２１ｂから下方に向かって略直角に折曲して一体的に形成した折曲片２６を設けてある。
【００２４】
上記構成による小型検知スイッチによれば、カバー２がボディ１に取り付けられると、折曲片２６が嵌入凹部１８ａに嵌入するので、図１４に矢印で示す方向からカバー２に外力が与えられたような場合に、カバー２が回動することがなくなり、且つ、カバー２がボディ１の前後方向に移動することが抑えられるものとなる。
【００２５】
（第３の実施の形態）
図８及び図９は、本発明に係る小型検知スイッチの第３の実施の形態を示す図であり、カバーを次のように構成してあることを特徴とするものである。なお、図８はカバーを示し、同図（ａ）は正面図、同図（ｂ）は右側面図、図９はカバーをボディに取り付けた状態を示す断面図であり押釦の図示を省略してある。
【００２６】
この実施の形態において、カバー２は、その上面被覆片２１の長手方向の前方端部２１ｃから下方に向かって略直角に折曲して一体的に形成した折曲片２６を設けてある。ここで、折曲片２６は、その幅がボディ１の側壁１３，１３間の距離よりやや小さくなるように形成し、折曲片２６とボディ１のクリアランスを、押釦３とボディ１のクリアランスより小さくしてある。
【００２７】
上記構成による小型検知スイッチによれば、カバー２をボディ１に取り付けると、折曲片２６の両端がボディ１の側壁１３，１３の間に挿入されるので、カバー２の側壁被嵌片２２，２２が図１３に矢印で示す方向、すなわちボディ１の外側から内方に向かって両側壁１３，１３を比較的大きな押圧力で押し付けるように構成した場合であっても、両側壁１３，１３の内側が折曲片２６に当接するためボディ１が内方側に撓むことが抑えられるものとなる。これにより、押釦３とボディ１のクリアランスが保たれ、ボディ１の側壁１３，１３の内側が押釦３に接触することがないので、押釦３の押下操作を円滑に行ない得るものとなる。
【００２８】
【発明の効果】
請求項１に係る発明の小型検知スイッチは、側壁被嵌片には、その延設方向の両側に一対の側片を延設すると共に、この側片の上方側に突起を設け、ボディの両側壁の外側には、側壁被嵌片を収納し得る収納溝を形成し、この収納溝には、側壁被嵌片を収納するときに側壁被嵌片をガイドしてそれがボディの外方側に変位することを制限すると共に側壁被嵌片を収納した後に前記突起が係合して側壁被嵌片の上方への移動を制限する係合突部を設け、収納溝の下方端部には、側壁被嵌片の先端部を挿入する押え溝を形成したことを特徴としているので、カバーの上下方向への移動を制限することができると共に、側壁被嵌片がボディから離間する方向に撓み変形することが抑えられるものとなる。
【００２９】
請求項２に係る発明の小型検知スイッチは、カバーには、ボディの側壁間の距離より小さい幅を有する折曲片を、上面被覆片の長手方向の端部から下方に向かって折曲して形成したことを特徴としているので、ボディの外側から内方に向かって両側壁を比較的大きな押圧力で押し付けるように構成した場合であっても、両側壁の内側が折曲片に当接するためボディが内方側に撓むことが抑えられるものとなり、押釦とボディのクリアランスが保たれ、ボディの側壁の内側が押釦に接触することがなくなり、以って押釦の押下操作を円滑に行ない得るものとなる。
【００３０】
請求項３に係る発明の小型検知スイッチは、請求項２の構成において、ボディの後方側壁の上部には、折曲片を挿入し得る嵌入凹部を設けているものにしてあるので、カバーに外力が与えられたような場合に、カバーが回動することがなくなり、且つ、カバーが前後方向に移動することが抑えられるものとなる
【図面の簡単な説明】
【図１】本発明に係る小型検知スイッチの第１の実施の形態を示す正面図である。
【図２】同上の実施の形態においてカバーを取り付ける前の状態を示し、（ａ）は平面図、（ｂ）は正面図である。
【図３】同上の小型検知スイッチのボディ側壁の要部拡大図である。
【図４】同上の小型検知スイッチのカバーを示し、（ａ）は正面図、（ｂ）は右側面図である。
【図５】本発明に係る小型検知スイッチの第２の実施の形態を示す正面図である。
【図６】同上の小型検知スイッチのボディを示し、（ａ）は平面図、（ｂ）は正面図である。
【図７】同上の小型検知スイッチのカバーを示し、（ａ）は正面図、（ｂ）は右側面図である。
【図８】本発明に係る小型検知スイッチの第３の実施の形態のカバーを示し、（ａ）は正面図、（ｂ）は右側面図である。
【図９】同上の小型検知スイッチの断面図である。
【図１０】従来の押釦スイッチを示す断面図である。
【図１１】従来の小型検知スイッチを示し、（ａ）は平面図、（ｂ）は正面図である。
【図１２】同上の小型検知スイッチのカバーを示し、（ａ）は平面図、（ｂ）は正面図、（ｃ）は右側面図である。
【図１３】小型検知スイッチのカバーの側壁被嵌片が、ボディの両側壁をボディ内方に向かって押圧している状態を示す平面図である。
【図１４】小型検知スイッチのカバーに外力が与えられた状態を示す平面図である。
【符号の説明】
１            ボディ
１１        ボディの上面
１２        ボディ上面の開口部
１３        ボディの側壁
１４        収納溝
１４ａ    押え溝
１５        係合突部
１８        ボディの後方側壁
１８ａ    嵌入凹部
２            カバー
２１        上面被覆片
２２        側壁被嵌片
２３        側片
２４        突起
２５        側壁被嵌片の先端部
２６        折曲片
３            押釦
３１        操作部
【図１】
2004172052.tif 000003
【図２】
2004172052.tif 000004
【図３】
2004172052.tif 000005
【図４】
2004172052.tif 000006
【図５】
2004172052.tif 000007
【図６】
2004172052.tif 000008
【図７】
2004172052.tif 000009
【図８】
2004172052.tif 000010
【図９】
2004172052.tif 000011
【図１０】
2004172052.tif 000012
【図１１】
2004172052.tif 000013
【図１２】
2004172052.tif 000014
【図１３】
2004172052.tif 000015
【図１４】
2004172052.tif 000016